(57)【要約】別個の回路基板（２１０、２３０）上の電気光学素子（１００、１２０）のあいだで、回転可能な光学リンクを提供する光学的ヒンジ（１）および光学的ヒンジ装置（４）。光学的ヒンジは、第１の光学的要素（３０）および第２の光学的要素（１０）を有し空隙部（９０）で離間されている。光学リンクを経てヒンジをとおる光線の伝送のあいだ、１つの光学的要素は、他の光学的要素に対して回転軸（９８）のまわりを回転可能である。
2004508599.tif 000002
【特許請求の範囲】
【請求項１】
光線（１００）を出し得る第１の電気光学素子（１００）と第２の電気光学素子（１２０）との間で光学的な連結を与えるための光学的ヒンジ（１）であって、
第１の光学的要素（１０）と第２の光学的要素（２０）とを備え
前記第１の光学的要素は、当該第１の光学的要素と前記第１の電気光学素子とを光学的に結合するために、第１の粗密境界面（１８）と第１のキャビティ（１２）とを有し、光線を該第１のキャビティを介して該第１の粗密境界面に伝送せしめ、
前記第２の光学的要素は、当該第２の光学的要素と前記第２の電気光学素子とを光学的に結合するために、第２の粗密境界面（４８）と第２のキャビティ（３２）とを有し、
前記第２の光学的要素が、回転軸（９８）に沿って回転角度（２）で前記第１の光学的要素に対して回転することができ、前記第１の粗密境界面が前記第２の粗密境界面に隣接して位置付けられて前記第１および第２の光学的要素の間に隙間（９０）を定め、前記第２の電気光学素子に到達するために、光線を前記第１の粗密境界面、隙間、さらには第２の粗密境界面を経て前記第２のキャビティに伝送せしめてなる
光学的ヒンジ。
【請求項２】
前記第１のキャビティから第１の光学的経路（１１０）に沿って光線が伝送され、前記第１の光学的要素が、当該第１の光学的経路に沿って伝送された光線を当該第１の光学的経路とは異なる第２の光学的経路（１１２）に沿って前記隙間に向けるための光学的経路変更手段（２０）をさらに備えてなる請求項１記載の光学的ヒンジ。
【請求項３】
前記第２の光学的要素が、前記第２の光学的経路に沿って伝送された光線を前記第２の光学的経路とは異なる第３の光学的経路（１１４）に沿って前記第２のキャビティに向けるためのさらなる光学的経路変更手段（４０）をさらに備えてなる請求項２記載の光学的ヒンジ。
【請求項４】
前記光学的経路変更手段が反射面を備えてなる請求項２記載の光学的ヒンジ。
【請求項５】
前記反射面が内部全反射面である請求項４記載の光学的ヒンジ。
【請求項６】
前記さらなる光学的経路変更手段が反射面を備えてなる請求項３記載の光学的ヒンジ。
【請求項７】
前記さらなる反射面が内部全反射面である請求項６記載の光学的ヒンジ。
【請求項８】
前記第１のキャビティが、光線が前記第１の光学的経路に沿って伝送される前に光線を収斂するための曲面（１４）を有してなる請求項２記載の光学的ヒンジ。
【請求項９】
前記曲面が球状である請求項８記載の光学的ヒンジ。
【請求項１０】
前記反射面が、光線を前記第２の光学的経路に向けながら光線を収斂するための曲面である請求項４記載の光学的ヒンジ。
【請求項１１】
前記曲面が球状である請求項１０記載の光学的ヒンジ。
【請求項１２】
前記第１の光学的要素が少なくとも１つのソケット（２２、２４）を有し、前記第２の光学的要素が当該ソケットに機械的に係合された少なくとも１つのスタッド（４２、４４）を有し、前記回転軸に沿って第１の光学的要素に対して第２の光学的要素を相対的に回転せしめる請求項１記載の光学的ヒンジ。
【請求項１３】
前記第２の光学的経路が回転軸と実質的に一致する請求項２記載の光学的ヒンジ。
【請求項１４】
前記第２の光学的経路が前記回転軸に実質的に平行であり、前記回転軸から離間されており、前記第２の電気光学素子が、回転角度に依存して光線を受光するための異なる領域を有してなる請求項２記載の光学的ヒンジ。
【請求項１５】
前記隙間が空隙である請求項１記載の光学的ヒンジ。
【請求項１６】
前記第１の粗密境界面と第２の粗密境界面とを屈折率マッチングによって光学的に結合するための流体が、前記隙間に充填されてなる請求項１記載の光学的ヒンジ。
【請求項１７】
光線を出し得る第１の電気光学素子（１００）を有する第１の回路基板（２１０）と、第２の電気光学素子（１２０）を有する第２の回路基板（２３０）との間で光学的な連結を与えるための光学的ヒンジ装置（４）であって、
前記第１の回路基板が第２の回路基板と機械的に連結され、前記第２の回路基板を回転軸に沿って前記第１の回路基板に対して相対的に回転せしめ、
前記第１の回路基板上に設けられた第１の光学的要素（１０）と、
前記第２の回路基板上に設けられた第２の光学的要素（３０）
とを備え、
前記第１の光学的要素が第１の粗密境界面（１８）を有し、
前記第２の光学的要素が当該第１の粗密境界面に隣接した第２の粗密境界面（４８）を有して隙間（９０）を規定し、
前記隙間を経て前記第２の光学的要素に光線を伝送するために、前記第１の光学的要素が光線を受光するための前記第１の電気光学素子に光学的に結合され、
光線を第２の電気光学素子に伝送するために、前記第２の光学的要素が前記第２の電気光学素子に光学的に結合されてなる
光学的ヒンジ装置。
【請求項１８】
前記隙間が実質的に前記回転軸に位置づけられてなる請求項１７記載の光学的ヒンジ装置。
【請求項１９】
前記隙間が空隙である請求項１７記載の光学的ヒンジ装置。
【請求項２０】
前記第１の粗密境界面と第２の粗密境界面とを屈折率マッチングによって光学的に結合するための流体が、前記隙間に充填されてなる請求項１７記載の光学的ヒンジ装置。
【請求項２１】
前記第１の光学的要素が、
前記第１の光学的要素と第１の電気光学素子とを光学的に結合するための第１のキャビティ（１２）を経て第１の光学的経路に沿って光線を伝送せしめる第１のキャビティ（１２）と、
前記第１の光学的経路から前記隙間を経て光線を第２の光学的経路に沿って向けるための第１の光学的経路変更手段（２０）
とを備え、
前記第２の光学的要素が、前記隙間を経て伝送された光線を前記第２の光学的要素内の第２のキャビティに向けるための第２の光学経路変更手段（４０）を有し、光線を第３の光学的経路に沿って前記第２のキャビティ内の第２の電気光学素子に到達せしめる請求項１７記載の光学的ヒンジ装置。
【請求項２２】
前記第１の手段が反射面を備えてなる請求項２１記載の光学的ヒンジ装置。
【請求項２３】
前記第１の手段が内部全反射面を備えてなる請求項２１記載の光学的ヒンジ装置。
【請求項２４】
前記第２の手段が反射面を備えてなる請求項２１記載の光学的ヒンジ装置。
【請求項２５】
前記第２の手段が内部全反射面を備えてなる請求項２１記載の光学的ヒンジ装置。
【請求項２６】
前記第１のキャビティが、光線が前記第１の光学的経路に沿って伝送される前に光線を収斂するための球面状の面を有してなる請求項２１記載の光学的ヒンジ装置。
【請求項２７】
前記反射面が、光線を前記第２の光学的経路に向けながら光線を収斂するための球面状の面を有してなる請求項２２記載の光学的ヒンジ装置。
【請求項２８】
前記第２の光学的経路が前記回転軸と実質的に一致する請求項２１記載の光学的ヒンジ装置。
【請求項２９】
前記第２の光学的経路が前記回転軸と実質的に平行である請求項２１記載の光学的ヒンジ装置。
【請求項３０】
前記第１の回路基板が少なくとも１つの取りつけピンを有し、前記第１の光学的要素が、前記第１の光学的要素を前記第１の回路基板に取りつけるための取りつけピンと係合した少なくとも１つの取りつけ穴を有してなる請求項２１記載の光学的ヒンジ装置。
【請求項３１】
前記光線が通信データを運搬することができ、前記第１の回路基板が、前記第１の電気光学素子と連結しているデータ配線をさらに備え、前記第２の回路基板が、前記第２の電気光学素子と連結しているデータ配線をさらに備え、
光線を介して通信データを伝送することによって第１の回路基板を第２の回路基板と通信せしめる請求項２１記載の光学的ヒンジ装置。
【請求項３２】
前記第１の電気光学素子が発光素子を備えてなる請求項２１記載の光学的ヒンジ装置。
【請求項３３】
前記第１の電気光学素子が光学的トランシーバを備えてなる請求項２１記載の光学的ヒンジ装置。
【請求項３４】
前記第２の電気光学素子が光センサである請求項２１記載の光学的ヒンジ装置。
【請求項３５】
前記第２の電気光学素子が、光線をさらに前記第１の電気光学素子に伝送し得る光学的トランシーバを備えてなる請求項２１記載の光学的ヒンジ装置。
【請求項３６】
前記光線が赤外線の周波数で光の波動を運搬してなる請求項２１記載の光学的ヒンジ装置。
【請求項３７】
前記第１の光学的要素が光導波路を備えてなる請求項２１記載の光学的ヒンジ装置。
【請求項３８】
前記第２の光学的要素が光導波路を備えてなる請求項２１記載の光学的ヒンジ装置。
【請求項３９】
光学的連結を与えるためのオプトメカニカル装置であって、
当該光学的連結をとおって光線（１０２）を送信するための第１の電気光学素子（１００）と、
当該光学的連結をとおって光線を受信するための第２の電気光学素子（１２０）と、
前記第１の電気光学素子から前記第２の電気光学素子に光線をガイドし、前記第１の電気光学素子と第２の電気光学素子とのあいだの光線の伝送の間に当該光学的連結の回転可能性を与えるための光学的ヒンジ（１）
とを備え、
前記光学的ヒンジが、第２の光学的要素に光学的に接続された第１の光学的要素を備え、
該第１の光学的要素が、当該光学的連結の回転可能性を与えるために前記第２の光学的要素に関して回転可能である
オプトメカニカル装置。
【請求項４０】
光学的要素の１つの少なくとも１つのスタッド（４２、４４）が当該光学的要素と別の光学的要素の対応する少なくとも１つのソケット（２２、２４）内に挿入されることによって、前記第１の光学的要素が前記第２の光学的要素と機械的にも接続する請求項３９記載の装置。
【請求項４１】
前記少なくとも１つのスタッドと前記少なくとも１つの対応するソケットが光線に対して光学的に透明である請求項４０記載の装置。
【請求項４２】
前記第１の光学的要素が少なくとも１つのソケット（２２、２４）を有し、前記第２の光学的要素が当該ソケット内に機械的に係合された少なくとも１つのスタッド（４２、４４）を有し、前記第２の光学的要素を前記第１の光学的要素に対して相対的に回転せしめる請求項３９記載の装置。
【請求項４３】
前記第１の光学的要素（１０’）が、第１の物体（２１０）に設けられて前記第２の光学的要素（３０’）と対向し、前記第２の光学的要素（３０’）は、少なくとも１つの軸（２４０）によって前記第１の物体に接続された第２の物体（２３０）に設けられてなる請求項３９記載の装置。
【請求項４４】
前記第１の光学的要素（１０’）および第２の光学的要素（３０’）が、それぞれ前記第１の物体（２１０）と第２の物体（２３０）の連結部（２１８、２３６）における凹−所（２２０、２３８）に収容されてなる請求項３９記載の装置。
【請求項４５】
前記第１の光学的要素（１０’）および第２の光学的要素（３０’）が、それぞれ前記第１の物体（２１０）と第２の物体（２３０）の連結部（２１８、２３６）における凹所（２２０、２３８）に収容されてなる請求項４１記載の装置。
【請求項４６】
前記第１の光学的要素（１０”）および第２の光学的要素（３０”）が、空隙（９０’）によって光学的に接続された光導波路を備えてなる請求項４３記載の装置。
【請求項４７】
前記第１の光学的要素（１０”）および第２の光学的要素（３０”）が、流体によって光学的に接続された光導波路を備えてなる請求項４３記載の装置。
【請求項４８】
前記光学的連結の回転に依存して光線を受光するために１または２以上の電気光学素子（１６２、１６４）をさらに備えてなる請求項３９記載の装置。
【請求項４９】
前記第１の電気光学的要素（４１０）および第２の電気光学的要素（４５０）の１つが互いにボールジョイント（４０１）を形成する請求項４８記載の装置。
【請求項５０】
前記第１の装置（１００）によって送信された光線（１０２）とは異なる波長の追加の光線を伝送し、受信するための１または２以上の追加の電気光学素子を備えてなる請求項３９記載の装置。
【請求項５１】
光線（１０２）を生成するための第１の電気光学素子（１００）と光線を受光するための第２の電気光学素子（１２０）との間に光学的連結を与えるためのオプトメカニカル装置であって、
第２の光学的要素に光学的に接続された第１の光学的要素（１０）と、該第２の光学的要素に関して該第１の光学的要素が回転可能であることと、前記第１の電気光学素子および第２の電気光学素子間の光線の伝送のあいだ光学的連結の回転可能性を与えるために前記第１の光学的要素および第２の光学的要素が互いに光学的ヒンジ（１）を形成することを特徴とするオプトメカニカル装置。
【請求項５２】
前記光学的要素の１つの少なくとも１つのスタッド（４２、４４）が、前記光学的要素の他の１つの少なくとも１つの対応するソケット（２２、４４）に挿入されることによって、前記第１の光学的要素が、前記第２の光学的要素に機械的に接続されることを特徴とする請求項５１記載の装置。
【請求項５３】
前記少なくとも１つのスタッドと前記少なくとも１つの対応するソケットにおける光線に対して光学的に透明であることを特徴とする請求項５２記載の装置。
【請求項５４】
前記第１の光学的要素が少なくとも１つのソケット（２２、２４）を有し、前記第２の光学的要素が前記ソケット内に機械的に係合された少なくとも１つのスタッド（４２、４４）を有し、前記第２の光学的要素を前記第１の光学的要素に対して相対的に回転せしめることを特徴とする請求項５１記載の装置。
【請求項５５】
前記第１の光学的要素（１０’）が、第１の物体（２１０）に設けられ、前記第２の光学的要素（３０’）と対向し、前記第２の光学的要素（３０’）は、少なくとも１つの軸（２４０）によって前記第１の物体に接続された第２の物体（２３０）に設けられてなることを特徴とする請求項５１記載の装置。
【請求項５６】
前記第１の光学的要素（１０’）および第２の光学的要素（３０’）が、それぞれ前記第１の物体（２１０）および第２の物体（２３０）の連結部（２１８、２３６）の凹所（２２０、２３８）に収容されてなることを特徴とする請求項５１記載の装置。
【請求項５７】
前記第１の光学的要素（１０’）および第２の光学的要素（３０’）が、それぞれ前記第１の物体（２１０）および第２の物体（２３０）の連結部（２１８、２３６）の凹所（２２０、２３８）に収容されてなることを特徴とする請求項５２記載の装置。
【請求項５８】
前記第１の光学的要素（１０”）および第２の光学的要素（３０”）が、空隙（９０’）によって光学的に接続された光導波路を備えてなる請求項５５記載の装置。
【請求項５９】
前記第１の光学的要素（１０”）および第２の光学的要素（３０”）が、流体によって光学的に接続された光導波路を備えてなる請求項５５記載の装置。
【請求項６０】
前記光学的連結の回転に依存して光線を受光するために、１または２以上の電気光学素子（１６２、１６４）を備えてなることを特徴とする請求項５１記載の装置。
【請求項６１】
前記第１の電気光学的要素（４１０）および第２の電気光学的要素（４５０）が互いにボールジョイント（４０１）を形成してなる請求項６０記載の装置。
【請求項６２】
前記第１の装置（１００）によって送信された光線（１０２）とは異なる波長で追加の光線を伝送し、受光するために１または２以上の追加の電気光学素子を備えてなることを特徴とする請求項５１記載の装置。
【発明の詳細な説明】
【０００１】
［技術分野］
本発明は一般的に光学リンクに関し、より詳細には当該光学ガイド（ｌｉｇｈｔ ｇｕｉｄｅ）の一部分から他へ光線を伝送させるための光学ガイドに関する。
【０００２】
［発明の背景］
ノキアコミュニケータ（Ｎｏｋｉａ Ｃｏｍｍｕｎｉｃａｔｏｒ（商品名））のような携帯式電子機器は、回転のためキーボード部と機械的に連結した表示部を有しており、表示部は、閉じた状態ではキーボード部の上に折り畳むことができ、開いた状態ではキーボード部から上に立てることができる。そのような電子機器において、表示部に表示された情報は、通常はパラレルデータバスであるフラットケーブルを介してキーボード部から伝えられている。典型的には、フラットケーブルは、表示部側の回路基板上のフラットケーブルコネクタと、キーボード部側の回路基板の他のフラットケーブルコネクタとに接続されている。フラットケーブルは、電流を伝搬する複数の金属線と、これらの金属線を個々に取り囲む保護カバー（ｊａｃｋｅｔ）を備えている。不良接続が長期間の使用のあいだにフラットケーブルコネクタに起こることが知られている。また、鋭い物体や腐食性の試薬が偶然にフラットケーブルを破損し得て、そのため、表示部とキーボード部のあいだの通信が妨害される。さらに、フラットケーブルは、線の数に依存する幅を有する。５０ピンのパラレルバスでは、フラットケーブルとコネクタの幅が表示部、プリント回路基板（ＰＣＢ）およびキーボード部の大きい面積を専有することがある。
【０００３】
携帯式電子機器における表示部およびキーボード部のあいだに光学リンクを備えて電気信号のかわりに光学的な信号で表示部とキーボード部のあいだのデータ通信を行うことができるようにすることは利点を有し望ましい。光学リンクは、フラットケーブルとフラットケーブルコネクタに関連する問題点を取り除くことができる。
【０００４】
［発明の開示］
本発明の目的は、２つの回路基板のあいだの通信リンクを提供するため少数の光学装置を用いることである。好ましくは、光学装置はシリアルな方法で通信データを伝えることが可能である。
【０００５】
このようにして、本発明の第１の側面は、光学的ヒンジであって、光学信号を発光し受光するための電気光学素子を有する２つの回路基板のあいだにおいて、光学信号で通信データを搬送するための光学ガイドとして作用する。光学的ヒンジは、
第１の光学的要素を第１の電気光学素子に光学的に結合させるための第１のキャビティを有する第１の光学的要素と、
第２の光学的要素を第２の電気光学素子に光学的に結合させるための第２のキャビティを有する第２の光学的要素
とを備え、
前記第１の電気光学素子は、光線を出し得て、第１のキャビティを介して第１の光学的経路に沿って光線を伝送せしめ、
前記第２の光学的要素は、回転軸に沿って回転角度で前記第１の光学的要素に対して回転することができ、第１の光学的要素は、第１の光学的経路に沿って伝送された光線を第２の光学的経路に沿う第２の光学的要素に方向を向ける第１の反射表面を有し、前記第２の光学的要素は第２の光学的経路に沿って伝送された光線を第３の光学的経路に沿う第２のキャビティに方向を向け、前記光線を第２の電気光学素子に到達させる第２の反射表面を有する。
【０００６】
好ましくは、前記第１および第２の反射表面が、内部全反射面（ｔｏｔａｌ ｉｎｔｅｒｎａｌ ｒｅｆｌｅｃｔｉｏｎ ｓｕｒｆａｃｅｓ）である。
【０００７】
好ましくは、第１のキャビティが、光線が第１の光学的経路に沿って伝送されるに先立ち、光線を収斂させるための球状表面を有する。
【０００８】
好ましくは、第１の反射表面が、たとえば光線を第２の光学的経路に向かわせるとともに光線を収斂させるために球状表面である。
【０００９】
好ましくは、第１の光学的要素が、少なくとも１つのソケットを有し、第２の光学的要素が、前記ソケットに機械的に係合する少なくとも１つのスタッド（ｓｔｕｄ）を有して、第２の光学的要素を回転軸に沿って第１の光学的要素に対し回転可能にする。
【００１０】
本発明の第２の側面は、光線を出し得る第１の電気光学素子を有する第１の回路基板と、第２の電気光学素子を有する第２の回路基板のあいだに光学的連結を与えるための光学的ヒンジ装置であって、第１の回路基板は機械的に第２の回路基板と連結され、第２の回路基板は回転軸に沿って第１の回路基板に対し回転可能とする。
【００１１】
前記光学的ヒンジ装置は、
第１の回路基板に設けられた第１の光学的要素と、
第２の回路基板に設けられた第２の光学的要素
とを備え、
前記第１の光学的要素は第１の境界表面を有し、第２の光学的要素は、前記第１の境界表面に隣接する第２の境界表面を有して、実質的に回転軸上に配置された空隙を規定し、前記空隙を経て前記第２の光学的要素に光線を伝送させるために第１の光学的要素が第１の電気光学素子に光学的に結合されて、光線を受光し、第２の電気光学素子へ光線を伝送させるために第２の光学的要素が第２の電気光学素子に光学的に結合される。
【００１２】
好ましくは、第１の光学的要素は第１の光学的要素を第１の電気光学素子に光学的に結合させるための第１のキャビティを有し、光線は第１のキャビティを経て第１の光学的経路に沿って伝送されるのを可能とし、第２の光学的要素は、第２の光学的要素を第２の電気光学素子に光学的に結合させるための第２のキャビティを有する。
【００１３】
好ましくは、複数の導電線が用いられて、第１および第２の電気光学素子に電力を供給するために、第１の回路基板と第２の回路基板を電源に接続する。
【００１４】
好ましくは、第１の光学的要素が、第１の光学的経路に沿って伝送された光線を第２の光学的経路に沿う第２の光学的要素の方向に向ける第１の反射表面を有し、第２の光学的要素が、第２の光学的経路に沿って伝送された光線を第３の光学的経路に沿う第２のキャビティへ向ける第２の反射表面を有し、光線を第２の電気光学素子へ到達させる。
【００１５】
好ましくは、第２の光学的経路が、回転軸に平行かまたは実質的に一致する。
【００１６】
好ましくは、第１の回路基板が、少なくとも１つの取り付けピンを有し、第１の光学的要素が、第１の光学的要素を第１の回路基板に取り付けるため、前記取り付けピンと係合する少なくとも１つの取り付け穴を有する。
【００１７】
本発明の第３の側面によれば、光学的リンクのためのオプトメカニカル（ｏｐｔｏ−ｍｅｃｈａｎｉｃａｌ）装置が、光学的リンクのための光線を提供するための第１の電気光学素子、光学リンクを経た光線を受光するための第２の電気光学素子、および前記第１の電気光学素子から第２の電気光学素子への光線を導き前記第１の電気光学素子と第２の電気光学素子とのあいだで光線を伝送するあいだ光学リンクの回転可能性を与えるための光学的ヒンジを備えて、前記光学的ヒンジが、第２の光学的要素に光学的に結合した第１の光学的要素を備え、前記第１の光学的要素が、光学リンクの回転可能性を与えるため、第２の光学的要素に対して回転可能である。
【００１８】
さらに本発明の第３の側面によれば、１つの光学的要素の少なくとも１つのスタッドが他の１つの光学的要素の対応する少なくとも１つのソケットに挿入されることによって、第１の光学的要素がまた第２の光学的要素に機械的に結合される。前記少なくとも１つのスタッドと前記少なくとも１つの対応するソケットとは、光線に対し光学的に透明であってよい。
【００１９】
また、さらに本発明の第３の側面によれば、第１の光学的要素は、第１の物体に設けられ、第２の物体に設けられた第２の光学的要素に対向する。第２の物体は、少なくとも１つの軸によって第１の物体に接続されている。第１の光学的要素と第２の光学的要素は、それぞれ第１の物体および第２の物体の結合部の凹所にあってもよい。凹所は、第１の物体および第２の物体の結合部にそれぞれあってもよい。第１の光学的要素および第２の光学的要素は空隙または流体によって光学的に結合された光学的導波路を備えてもよい。
【００２０】
また、さらに本発明の第３の側面によれば、オプトメカニカル装置はさらに光学リンクの回転に依存する光線を受光するための１または２以上の追加の電気光学素子を備えてもよい。第１の電気光学要素および第２の電気光学要素は、ともにボールジョイントを形成することができる。さらに、１または２以上の追加の電気光学素子は、第１の素子１００により提供される光線とは異なる波長の追加の光線を発光および受光するために設けられてもよい。
【００２１】
本発明の第４の側面によれば、光学リンクを越える光線を提供するための第１の電気光学素子と、光学リンクを越えた光線を受光するための第２の電気光学素子のあいだの光学リンクを提供するオプトメカニカル装置であって、
第２の光学的要素と光学的に結合された第１の光学的要素、
第２の光学的要素に対する第１の光学的要素の回転可能性、および
前記第１の光学的要素と前記第２の光学的要素がともに光学的ヒンジを形成し、第１の電気光学素子と第２の電気光学素子のあいだの光線の伝送とともに光学リンクに回転可能性を与えること
によって特徴づけられる。
【００２２】
本発明の第４のさらなる側面によれば、１つの光学的要素の少なくとも１つのスタッドが他の１つの光学的要素の対応する少なくとも１つのソケットに挿入されることによって、第１の光学的要素が第２の光学的要素と機械的に結合される。光線に対する光学的透明性が、少なくとも１つのスタッドと少なくとも１つの対応するソケットに与えられる。少なくとも１つのスタッドは少なくとも１つの対応するソケットに機械的に係合され、第２の光学的要素が、第１の光学的要素に対して回転可能なようにされる。
【００２３】
本発明の第４のさらなる側面によれば、第１の光学的要素は、第１の物体に設けられ、第２の物体に設けられた第２の光学的要素に対向する。第２の物体は、少なくとも１つの軸によって第１の物体に接続されている。第１の光学的要素と第２の光学的要素は、それぞれ第１の物体および第２の物体の結合部の凹所に設けられてもよい。第１の光学的要素および第２の光学的要素は、空隙によって光学的に結合される光導波路を備えることもできる。他方、第１の光学的要素および第２の光学的要素は、流体によって光学的に結合される光導波路を備えることもできる。
【００２４】
また、本発明の第４のさらなる側面によれば、１または２以上の追加の電気光学素子が、光学的リンクの回転に依存して光線を受光するために設けられてもよい。その場合、第１の電気光学的要素および第２の電気光学的要素は、ともにボールジョイントを形成することができる。別の場合には、１または２以上の追加の電気光学素子は、第１の素子によって発せられた光線とは異なる波長の追加の光線を発光および受光するためのものである。
【００２５】
本発明は、図１〜９ｂとあわせ記載を読むことで明らかになる。
【００２６】
［発明を実施するための最良の形態］
図１は、本発明の光学的ヒンジ１の好ましい実施の形態を示す。図示されるように、光学的ヒンジ１は、第１の光学的要素１０、および回転軸９８に沿って角度α回転することができる第２の光学的要素３０を有する。回転角度は典型的に−９０度から９０度の範囲にある。しかしながら、回転角αはより広い範囲、もし望まれるなら−１８０度から１８０度にわたることができるよう設計され得る。第１および第２の光学的要素は光学材料により製造される。この材料は、問題となる光の波長に対して非常に透明であるのが好ましい。たとえば、もし光学的ヒンジ１が赤外線のための光ガイドであれば、その材料は赤外線の周波数において低い吸収率と散乱を有しなければならない。図示されるように、第１の光学的要素１０は、第１の光学的要素１０と電気光学的素子とを光学的に連結させるために用いられる第１のキャビティ１２を有し、第２の光学的要素３０は、第２の光学的要素３０と別の電気光学的素子とを連結させるために用いられる第２のキャビティ３２を有する。典型的には、問題となる電気光学素子は、光学的トランシーバ、発光体および光センサである。光学的ヒンジ１の目的は、１つのキャビティに連結された電気光学素子によって生成された光線（図２参照）を、他のキャビティに連結された他の電気光学素子に伝送することである。この点で、光学的ヒンジ１は、２つの光学的要素１０および３０に、それぞれに連結された２つの電気光学素子のあいだの光ガイド、リンクまたは導管として作用する。
【００２７】
図２は、光学的ヒンジ１を用いた光ガイドの原理を表している。図２に示されるように、第１の光学的要素１０は、回転軸９８に沿ってソケット２２およびソケット２４を有する。第２の光学的要素３０は、スタッド（ｓｔｕｄ）４２およびスタッド４４を有し、それぞれソケット２２および２４に回転自在に係合される。説明のために、発光体である第１の電気光学素子１００が第１の光学的要素１０のキャビティ１２に挿入される。第１の電気光学素子１００は、キャビティの表面１４に向かって光線１０２を出し得る。表面１４は、光線１０２の波面（ｗａｖｅｆｒｏｎｔ）を著しく乱すことがないよう光学的に平滑である。光線１０２が第１の光学的経路またはリンク部分１１０に沿って伝送されるとき、光線を収斂（集光）するために、キャビティ表面１４が曲面または球面であるのが好ましい。光線１０２が第１の光学的要素１０の表面２０に充分大きい入射角で出会うと、光線１０２はこの粗密界面で内部全反射され、これによって光線は方向を変えられる。好ましくは、光線が第２の光学的経路またはリンク部分１１２に向かって反射されるとき光線１０２の収斂を助けるように、表面２０もまた球面である。表面２０は、光学的経路１１２が、ソケット２２の第１の粗密境界表面１８、およびスタッド４２の第２の粗密境界表面４８に実質的に垂直であるように設計される。表面１８および４８は、光線１０２が空隙（ａｉｒ ｇａｐ）９０を横断するとき大きい透過損失を被らないよう光の透過に対して、合理的に平坦および滑らかであるのが好ましい。第２の光学的要素３０も、たとえば、光学的経路１０２に沿って伝送された光線１０２を内部に全反射させるような反射表面４０の形状で、光学的経路変更手段を有する。最後に、光線１０２は第３の光学的経路またはリンク部分１１４に沿って伝送される。光線１０２が、第２の光学的要素３０のキャビティ３２に入ったあと、光線１０２は、キャビティ３２内に配置される光センサである第２の電気光学素子１２０により受光される。光線１０２がキャビティ３２に入るとき、収斂を助けるよう、表面３４もまた球表面であるのが好ましい。もし光学的経路１１２が実質的に光学軸９８に揃っていると第２の電気光学素子１２０は、回転角αにかかわらず、第１の電気光学的素子１００によって生成された光線１０２を常時受光できる（図１参照）。このようにして、第２の光学的要素３０が、第１の光学的要素１０に対して、回転軸９８のまわりを回転させられる一方、光学的ヒンジ１は、第１の電気光学素子と第２の電気光学素子のあいだの光線伝送のあいだ、電気光学素子１００および１２０のあいだの光リンクとして作用する。光線は１つの電気光学素子から他へ情報を搬送するための光信号を伝えることができるということは公知の技術である。こうして、光学的ヒンジ１は、電気光学素子１００および１２０のあいだの通信リンクとして作用し得る。このヒンジは、同一直線上にはないが、それにもかかわらず光学的に接続されており、互いに光学リンク部品の向きを変化させつつあるときも、光学リンクを経て光線をガイドしつつ、互いに回転可能な光学リンク部品を提供する。
【００２８】
第２の電気光学素子１２０が発光体で、第１の電気光学素子が第２の電気光学素子１２０からの光線を受光する光センサであり得ることは留意すべきである。また別に、両方の電気光学素子１００および１２０が双方向の通信のための光学的トランシーバーであることも可能である。電気光学素子１００および１２０の特性に依存して、光線１０２は可視光の周波数または赤外線の周波数の光の波動を運搬することができる。素子１００および１２０は、それぞれのキャビティ内部で固定して取り付けられオプトメカニカル装置（ｏｐｔｏ−ｍｅｃｈａｎｉｃａｌ ｄｅｖｉｃｅ）を形成してもよい。あるいは、素子１００および１２０は、別の物体に取り付けられ、実質的にオプトメカニカル装置を形成してはいるが、それぞれのキャビティの単なるレジデント（ｒｅｓｉｄｅｎｔ）であってもよい。
【００２９】
ノキアコミュニケータ（Ｎｏｋｉａ Ｃｏｍｍｕｎｉｃａｔｏｒ（商品名））のように表示部と機械的にリンクしたキーボード部を有し、通信機は表示部をキーボードの上に折り畳んで閉じることができ、キーボード部から上に表示部を立てて開くことができる電子素子では、表示部は１つの回路基板上に搭載され、キーボード部が別の回路基板上に搭載される（図６を参照）。１つの回路基板を他と光学的にリンクするオプトメカニカル装置を使用する電子機器は、ここでは光学的ヒンジ装置（ｏｐｔｉｃａｌ ｈｉｎｇｅ ａｐｐａｒａｔｕｓ）という。図３は、本発明の光学的ヒンジ装置４の好ましい実施の形態を示し、光学的ヒンジ１の第１の光学的要素１０および第２の光学的要素３０が、それぞれ第１の回路基板２１０および第２の回路基板２３０に設けられている。第１の光学的要素１０は２つの取付用の穴２６を有し、第１の回路基板２１０は第１の光学的要素１０を取付けるための２つの適合する取付用ピン２１２を有する。第１の電気光学素子１００は、キャビティ１２に適切にはめ込まれるように、第１の回路基板２１０上に半田付けされるか、さもなくば、固定して設けられる。第１の電気光学素子１００に電力を供給し、電気光学素子１００へ、および、電気光学素子から通信データを搬送するため、複数の導電線２１４が、第１の電気光学素子１００に接続される。導電線２１４のいくつかは、電源２５２に動作可能なように接続される。同様に、第２の電気光学素子１２０が、第２の回路基板２３０上に固定して設けられ、第２の光学的要素３０のキャビティ３２へ適切にはめ込まれるようにする。電気光学素子１２０へ、および、電気光学素子１２０から通信データを搬送するため、複数の導電線２３４が第２の電気光学素子１２０に接続される。さらに、電源２５２に動作可能なように接続された複数の導電線２５０が、第１の回路基板２１０から第２の回路基板２３０へ電力を供給するために用いられる。導電線２５０はまた、第２の電気光学素子１２０に電力を供給するために、導電線２３４の一部と動作可能なように接続される。
【００３０】
図４は、光学的ヒンジ装置４’の別の実施の形態を示し、この実施の形態では、回路基板２１０および２３０のような第１および第２の物体上に光学的ヒンジ１’を設ける別の方法を用いている。第１の回路基板２１０は、外側の接合部２１６、２１８を有し、第２の回路基板２３０は、内側接合部２３６を有する。外側接合部２１６、２１８および内側接合部２３６は、接合軸２４０によって接合され、この接合軸は機械的ヒンジ２４２を形成するための円筒状金属製ロッドであってもよく、第１と第２の回路基板２１０、２３０を回転軸９８のまわりに互いに折り畳み、開くことを可能とする。図示されるように、外側の接合部２１８は、光学的ヒンジ１’の第１光学的要素１０’を収容するための凹所２２０を有し、内部接合部２３６は、光学的ヒンジ１’の第２の光学的要素３０’を収容するための凹所２３８を有する。そのような方法で、光学的ヒンジ１’は、実質２つの別個の要素：第１の光学的要素１０’および第２の光学的要素３０’からなる。第１と第２の光学的要素１０’、３０’の相対的動きは、機械的ヒンジ２４２によって制御される。しかしながら、光学的ヒンジ１’の機能は図１〜３に示された光学的ヒンジ１と同一である。
【００３１】
図５ａは、さらにもう一つの実施の形態をとる光学的ヒンジ装置４”を示す。図示されるように、光学的ヒンジ１”は、光導波路１０”および３０”を含む。光導波路１０”は、外側接合部２１８の上に設けられ、光導波路３０”は、回転軸９８の上に実質的に位置する空隙９０を規定している内部接合部２３６上に設けられる。光導波路１０”および３０”は、電気光学素子１００および１２０のあいだの光学リンクを提供するため、それぞれ、電気光学素子１００および１２０に連結される。光導波路１０”および３０”は非常に薄いスラブ（ｓｌａｂ）に縮小するか、または図５Ｂに示されるように除去することもできる。光導波路は、たとえば光学ファイバーであってもよい。
【００３２】
図２および図４に示されるような空隙９０、さらに図５ａおよび図５ｂに示されるような空隙９０’は、光学材料の２つの粗密境界で規定される。これらの光学材料は同じ屈折率または種々の反射係数を有してもよい。２つの粗密境界のあいだの光結合を改善するためには、図５ｃに示されるように、屈折率マッチング（ｉｎｄｅｘ ｍａｔｃｈｉｎｇ）のために空隙９０、９０’を流体９２で充填することが可能である。
【００３３】
図３〜５ｃに示された光学リンクを用いて、通信信号は１つの回路基板上の発光体（ｐｈｏｔｏ−ｔｒａｎｓｍｉｔｔｅｒ）から別の回路基板上の受光体（ｐｈｏｔｏ−ｒｅｃｅｉｖｅｒ）に光データの形で伝送することが可能である。こうして、光学リンクは、携帯式（ｈａｎｄ−ｈｅｌｄ）の電子機器における通信信号を伝送するために通常用いられているフラットケーブルを置き換えるために用いることができる。図６は、携帯電話または通信機において、第１の回路基板２１０と第２の回路基板２３０のあいだで信号を伝搬する可能な方法を示している。図示されるように、第１の回路基板２１０は、通信データや信号を処理するためにキーパッド部（ｋｅｙｐａｄ ｓｅｃｔｉｏｎ）２６２および電話部（ｐｈｏｎｅ ｅｎｇｉｎｅ）２６４を有し、第２の回路基板２３０は、表示部２６０を有する。２つの回路基板はオプトメカニカルヒンジシステムによって共に結合される（図３〜５ｃ参照）。発光体１１０および受光体１２０を光学的に接続する光線１０２を用いて、光学データ３００は、電話部２６４から表示部２６０へと搬送され得る。導線２５０を用いて、直流電力３１０が第２の回路基板２３０および表示部２６０へ供給され得る。同じ導線２５０を用いて、第２の回路基板２３０から第１の回路基板２１０上の電話部２６４に向かうフィードバック信号または逆のデータの流れ３２０を搬送することが可能である。フィードバック信号３２０は、直流電力３１０に小さい交流信号の形状で重畳し電気的に送信することが可能である。このようにして、図６は、たとえフラットケーブルが除去されても、１つの回路基板から他の回路基板をとおって電気信号を搬送する原理を示している。
【００３４】
図７は、電気光学素子を光学的ヒンジの光学的要素と結合させる別の方法を示している。図２および図３に示されたように電気光学素子を光学的要素のキャビティに挿入する代わりに、図７に示されるようにプリズム状の素子７０が光学的要素１０のキャビティ１２に挿入され得る。図７に示されるように、プリズム状の素子７０は、電気光学素子１００から生成された光線１０２を空隙９０の方向に向かわせるための反射表面７２を有する。
【００３５】
図８ａおよび８ｂは、オプトメカニカルヒンジシステムの、光線１０２と回転軸９８とのあいだの関係を示している。図８ａに示されるように、光線１０２は、１つの光学的要素から他の光学的要素へ空隙部９０をとおって伝送される。もし光線が、回転軸９８に実質的に一致している光学的経路１１２に沿って伝送されると、光線は回転角度αにかかわらず（図１参照）、定点Ｏで電気光学素子１２０に衝突する。しかし、もし光線が軸を外れた（ｏｆｆ−ａｘｉｓ）光学的経路１１２’に沿って伝送されると、光線は、定点Ｏから距離ｒだけ離間した点Ｏ’で電気光学素子１２０に衝突する。図８ｂに示されるように、点Ｏ’の位置は、回転角度αにより円周１５０に沿って変化する。たとえば、ある回転角度αでは、発光体１１０から生じた光線は円周１５０に沿って配置された光学センサ素子１６２によってのみ受光され得る。しかしながら、もし光学的ヒンジの光学的要素が互いにさらに９０度回転すると、光線は円周１５０上の光学センサ素子１６４によってのみ受光され得る。このようにして、円周１５０上に複数の光学センサ素子を配置することによって、光学的ヒンジの回転角にもとづいて、ある回路基板中の発光体（ｐｈｏｔｏ−ｔｒａｎｓｍｉｔｔｅｒ）から、他の回路基板上の別々の受光体に、異なった光データを送ることが可能である。この点で、電子機器が開いたり閉じたりするとき、異なった機能性を有するよう光学的ヒンジを設計することが可能である。たとえば、電子機器が開いたときは、通信データを表示するため、光学的ヒンジがキーボード回路基板を表示部回路基板に接続するように使用され得る。一方、その電子機器が閉じたときは、前記光学的ヒンジは、キーボード部の回路基板をコンピュータ（ｐｅｒｓｏｎａｌ ｃｏｍｐｕｔｅｒ）に接続するように使用され得る。
【００３６】
図９ａおよび９ｂは、ボールジョイント（ｂａｌｌ−ｊｏｉｎｔ）の形状に構成されることができる、光学的ヒンジ４０１の別の実施の形態を示している。図示されるように、光学的ヒンジ４０１は、第１の光学的要素４１０と、この第１の光学的要素４１０に対して２次元の角度範囲にわたって回転し得る第２の光学的要素４５０を備える。第１の光学的要素４１０は、光学材料から製造された球体４１２を含み、支持部４１４に結合されている。球体４１２は、第１の光学的要素が第１の光学的トランシーバ４１８に光学的に連結することを可能にするために、キャビティまたは凹所４１６を有する。第２の光学的要素４５０は、支持部４５４に結合された半球体４５２を含む。半球体４５２もまた、キャビティまたは凹所４５６を有し、第２の光学的トランシーバ４５８に光学的に連結される。球体４１２の表面４２２および半球体４５２の内表面４６３とは隙間４９０を規定し、第１の光学的要素４１０に対して第２の光学的要素４５０が回転できるようにする。凹所４１６は、球体４１２に光線５０２、５０４、・・、５０８が伝送されるように、平坦な、または曲面であり得る表面を有する。図９ａに示されるように、光線５０４、５０６は、隙間４９０をとおって第２の光学的トランシーバ４５８に直接到達することができるが、光線５０２、５０８は、第２の光学的トランシーバ４５８に到達するまえに表面４２２によって反射される。第２の光学的要素４５０が、図９ｂに示されるように角度β回転するとき、光線５０７、５０９は、空隙４９０をとおって第２の光学的トランシーバ４５８に到達することができるが、光線５０３、５０５は、第２の光学的トランシーバ４５８に到達するまえに球状表面４２２によって反射される。第１の光学的要素４１０と第２の光学的要素４５０のあいだの光結合効率を増加させるために、球面４２２の一部に銀メッキを施すことが可能である。表面４２２の銀メッキされた部分は、太線で符号４２４により示される。種々の波長の光線を発光および／または受光するために、追加の電気光学発光体および／または受光体を追加し、これに対応する種々の機能を得ることも可能である。
【００３７】
叙上の光学的ヒンジおよび光学的ヒンジ装置は、一方向のデータ送信または双方向のデータ伝送のために使用され得る。もし双方向のデータ伝送が用いられる場合、ヒンジの状態を監視することは容易である。たとえば、第２の回路基板の電気光学素子によって受光される光レベルを表示するため、フィードバック信号が第２の回路基板から第１の回路基板に伝送されることが可能である。もしヒンジが破損または損傷すると、「微光（ｌｏｗ ｌｉｇｈｔ）」通報が第１の回路基板に伝送され電源が切断される。こうして、光学的ヒンジの損傷によって光が光学的ヒンジから逸脱する場合も、眼の安全保護が達成される。さらに、発送体および受光体のあいだの光学的経路が非常に短くできるので、光データを送信するために使用する光の強度レベルは非常に低く維持できて、電子機器の眼の安全の観点を改善する。低い光強度レベルは、電池消費電力節約の点でも利点を有し得る。
【００３８】
光学的ヒンジおよび光学的ヒンジ装置は、データ転送の能力に実用上のいかなる限界ももたない。いくつかの性能は、発光体および受光体要素に起因する。さらに、光学的ヒンジは、照明の目的のため光を導くことにも使用できる。
【００３９】
図１〜８ｂとあわせてなされた説明は光学的ヒンジおよび光学的ヒンジ装置の原理を明示するためにのみ使用されたものであることに留意すべきである。この教えるところによって、開示された原理から逸脱しない種々の変更が可能である。たとえば、光線１０２は、表面２０および表面４０において粗密境界に達したとき内部に全反射する。もし望まれるなら、表面２０および表面４０は銀メッキすることが可能である。第１の光学的要素１０および第２の光学的要素３０は、ガラスまたは透明なプラスチック、または問題となる波長に対して透明である適切な材料から製造され得る。光導波路１０”および３０”は図５ａに示されるようにＬ字であり得るが、直線状でも、別に曲げられてもよい。光導波路は光ファイバーまたは単に短いプラスチックやガラス片から製造され得る。さらに表面２０（図２）は球面でも非球面でもよい。
【００４０】
発明はその好ましい実施の形態の観点から記述されたが、本発明の精神および範囲から逸脱することなく、形式および詳細な点で、前記および種々の他の変更、省略および逸脱がなされ得ることは当業者に理解されるであろう。
【図面の簡単な説明】
【図１】
図１は、本発明の好ましい実施の形態にもとづく光学的ヒンジを示す斜視図であり、光学的ヒンジの第２の光学的要素が、第１の光学的要素に対して種々の位置に回転可能であることを示している。
【図２】
図２は、光学的ヒンジの光学的経路を示す概略図である。
【図３】
図３は、２つの回路基板上に設けられた光学的ヒンジを示す概略図である。
【図４】
図４は、光学的ヒンジ装置の好ましい実施の形態を示す概略図である。
【図５Ａ】
図５ａは、光学的ヒンジ装置の別の実施の形態を示す概略図である。
【図５Ｂ】
図５ｂは、光学的ヒンジ装置のさらに別の実施の形態を示す概略図である。
【図５Ｃ】
図５ｃは、光学的ヒンジ装置のさらに別の実施の形態を示す概略図である。
【図６】
図６は、２つの回路基板のあいだの通信リンクを示す概略図である。
【図７】
図７は、１つの回路基板に光学的ヒンジを結合させるための光学結合装置を示す概略図である。
【図８Ａ】
図８ａは、回転軸と光学的経路のあいだの関係を示す概略図である。
【図８Ｂ】
図８ｂは、光学的経路の受光体への効果を示す概略図である
【図９Ａ】
図９ａは、所定の回転角度で動作する光学的ヒンジについて、別の実施の形態を示す断面概略図である。
【図９Ｂ】
図９ｂは、別の回転角度で動作する光学的ヒンジを示す断面概略図である。
【図６】
2004508599.tif 000003
【国際公開パンフレット】
2004508599.tif 000004
2004508599.tif 000005
2004508599.tif 000006
2004508599.tif 000007
2004508599.tif 000008
2004508599.tif 000009
2004508599.tif 000010
2004508599.tif 000011
2004508599.tif 000012
2004508599.tif 000013
2004508599.tif 000014
2004508599.tif 000015
2004508599.tif 000016
2004508599.tif 000017
2004508599.tif 000018
2004508599.tif 000019
2004508599.tif 000020
2004508599.tif 000021
2004508599.tif 000022
2004508599.tif 000023
2004508599.tif 000024
2004508599.tif 000025
2004508599.tif 000026
2004508599.tif 000027
2004508599.tif 000028
2004508599.tif 000029
2004508599.tif 000030
2004508599.tif 000031
2004508599.tif 000032
2004508599.tif 000033
2004508599.tif 000034
2004508599.tif 000035
2004508599.tif 000036
2004508599.tif 000037
2004508599.tif 000038
【国際公開パンフレット（コレクトバージョン）】
2004508599.tif 000039
【国際調査報告】
2004508599.tif 000040
2004508599.tif 000041